(57)【要約】【課題】吊架用線の布設に際し、塑性変形されて不具合を生じさせることがなくスムーズに作業が行えるハンガー部材を提供することを目的とする。【解決手段】吊架用線１０に一端部５が吊架用線１０の布設前後方向に揺動可能に枢着されると共に布設前後方向から見て全体が閉ループ状となって他端部６が吊架用線１０に引っ掛けられるものである。被吊下線材１１を保持するハンガー本体部４が吊架用線１０の布設前方側に凹状に湾曲している。【選択図】  図１
2004153869.tif 000002
【特許請求の範囲】
【請求項１】
吊架用線（１０）に一端部（５）が該吊架用線（１０）の布設前後方向に揺動可能に枢着されると共に該布設前後方向から見て全体が閉ループ状となって他端部（６）が上記吊架用線（１０）に引っ掛けられるハンガー部材であって、被吊下線材（１１）を保持するハンガー本体部（４）が上記吊架用線（１０）の布設前方側に凹状に湾曲していることを特徴とするハンガー部材。
【請求項２】
上記吊架用線（１０）が、布設時に金車（１２）を所定曲率半径（Ｒ）をもって湾曲して通過するとした場合、湾曲状の上記ハンガー本体部（４）の曲率半径（ｒ）は、上記金車半径（ｒ０  ）より大きく、上記所定曲率半径（Ｒ）よりも小さくなるように設定された請求項１記載のハンガー部材。
【請求項３】
上記一端部（５）と上記他端部（６）とは上記吊架用線（１０）の布設前後方向に隙間（Ｇ）を有しており、該一端部（５）と該他端部（６）との中間点を含む鉛直面を中心面（Ｖ）とした場合、上記湾曲状ハンガー本体部（４）の上記布設前後方向の最後方部（４ａ）（４ａ）が、上記中心面（Ｖ）よりも、後方位置にある請求項１又は２記載のハンガー部材。
【請求項４】
吊架用線（１０）に回転自在に外嵌される回転金具（３）と、該回転金具（３）が上記吊架用線（１０）の布設前後方向に位置ズレするのを防ぐストッパー金具（２）（２）と、該回転金具（３）に一端部（５）が布設前後方向に揺動可能に枢着されると共に上記布設前後方向から見て全体が閉ループ状となって他端部（６）が上記吊架用線（１０）に引っ掛けられるハンガー部材（１）と、を有し、上記ハンガー部材（１）のハンガー本体部（４）が、上記吊架用線（１０）の布設前方側に凹状に湾曲していることを特徴とするハンガー付き吊架用線。
【発明の詳細な説明】
【０００１】
【発明の属する技術分野】
本発明は被吊下線材を吊架用線に保持させるハンガー部材及びハンガー付き吊架用線に関する。
【０００２】
【従来の技術】
被吊下線材を吊架用線に保持させるハンガー付き吊架用線は、図８の側面図と図９の正面図に示すように、ハンガー部材４１が、吊架用線４０に、吊架用線４０の布設前後方向に揺動可能に、吊着されており、吊架用線４０の布設前後方向から見て閉ループ形状とされている。そして、従来のハンガー部材４１は、図８に示すように、ハンガー部材４１の鉛直状中心面４２上に一致するようハンガー本体部４３が位置しており、本体部４３は側面視直線形状である。つまり、ハンガー部材４１は側面視布設前後方向に対称形状としている。（例えば、特許文献１参照）。なお、吊架用線４０の布設方向（送り方向）は、矢印ｉ方向又は矢印ｊ方向の両方がある。
【０００３】
【特許文献１】
特開２００１−１１２１５４号公報
【０００４】
【発明が解決しようとする課題】
図１０に示すように従来のハンガー付き吊架用線は、その布設に際し、金車（立上がり金車）４４等を、ある曲率半径で湾曲し、通過して布設されることとなる。この際に、吊架用線４０には牽引張力Ｔ，Ｔが作用しているため、ハンガー部材４１は金車４４を通過する際に、ハンガー部材４１が吊架用線４０と金車４４との間で（しごかれ）塑性変形してしまい、その後の作業に支障をきたすという問題点がある。つまり、図１０に示すように、吊架用線４０の布設方向を矢印ｉの方向とした場合、ハンガー付き吊架用線４０に対して（金車４４との接触部４７を支点として）矢印ｋ及び矢印ｌの方向に力が作用し、ハンガー部材４１が矢印ｍの方向に変形し（２点鎖線は変形前形状を示す）、ハンガー部材４１の端部４５，４６同士が広げられて塑性変形（永久変形）してしまう。
【０００５】
また、図１１に示すように吊架用線４０の送り方向を逆とした場合（矢印ｊ方向）は、ハンガー部材４１の端部４５，４６が相互接近する方向にハンガー部材４１が塑性変形され、さらには、自由端側となる端部４６が枢着点側となる端部４５を越えて、乗り上げ塑性変形し、図１２に示すように、布設後端部４６が乗り上げた状態のまま戻らなくなっていまい、端部４５，４６間の隙間が無くなり、後の作業（被吊下線材の布設）において使用不能となるという問題点がある。
【０００６】
そこで本発明は、吊架用線の布設に際し、塑性変形されて不具合を生じさせることがなくスムーズに作業が行えるハンガー部材及びハンガー付き吊架用線を提供することを目的とする。
【０００７】
【課題を解決するための手段】
上述の目的を達成するために、本発明に係るハンガー部材は、吊架用線に一端部が該吊架用線の布設前後方向に揺動可能に枢着されると共に該布設前後方向から見て全体が閉ループ状となって他端部が上記吊架用線に引っ掛けられるハンガー部材であって、被吊下線材を保持するハンガー本体部が上記吊架用線の布設前方側に凹状に湾曲しているものである。
また、上記吊架用線が、布設時に金車を所定曲率半径をもって湾曲して通過するとした場合、湾曲状の上記ハンガー本体部の曲率半径は、上記金車半径より大きく、上記所定曲率半径よりも小さくなるように設定されている。
また、上記一端部と上記他端部とは上記吊架用線の布設前後方向に隙間を有しており、該一端部と該他端部との中間点を含む鉛直面を中心面とした場合、上記湾曲状ハンガー本体部の上記布設前後方向の最後方部が、上記中心面よりも、後方位置にある。
【０００８】
上述の目的を達成するために、本発明に係るハンガー付き吊架用線は、吊架用線に回転自在に外嵌される回転金具と、該回転金具が上記吊架用線の布設前後方向に位置ズレするのを防ぐストッパー金具と、該回転金具に一端部が布設前後方向に揺動可能に枢着されると共に上記布設前後方向から見て全体が閉ループ状となって他端部が上記吊架用線に引っ掛けられるハンガー部材と、を有し、上記ハンガー部材のハンガー本体部が、上記吊架用線の布設前方側に凹状に湾曲しているものである。
【０００９】
【発明の実施の形態】
以下、図示の実施の形態に基づき、本発明を詳説する。
【００１０】
図１及び図２は、本発明のハンガー付き吊架用線の側面図及び正面図である。このハンガー付き吊架用線は、その線方向（長手方向）に所定のピッチで複数のハンガー部材１が吊り下げ状とされたものであり、図７の全体図に示すように、支柱７，７間に被吊下線材（図示省略）を吊り下げ保持する架設線材である。
なお、図１において、矢印Ａ方向をハンガー付き吊架用線の布設方向（送り方向）としている。また図２は、吊架用線１０の布設前後方向前方から見ている。
【００１１】
本発明に係るハンガー付き吊架用線は、図１と図２に示すように、吊架用線１０に回転自在に外嵌される回転金具３と、回転金具３が吊架用線１０の布設前後方向（吊架用線１０の線方向）に位置ズレするのを防ぐストッパー金具２，２と、回転金具３に一端部５が布設前後方向に揺動可能に枢着されると共に布設前後方向から見て（図２に示すように）全体が閉ループ状となって他端部６が吊架用線１０に引っ掛けられるハンガー部材１と、を有している。
【００１２】
回転金具３は、例えば、Ｕ字型金具を吊架用線１０に被せ、その両端部を塑性変形させて吊架用線１０の外周面と隙間を持つよう外嵌させる部材であり、吊架用線１０の外周面の廻りを自由に回転できるものである。そして、この回転金具３の外周面に、ハンガー部材１の一端部５を枢着させる軸受部８を形成している。
【００１３】
ストッパー金具２は、吊架用線１０の線方向に沿って回転金具３の両側２か所に、吊架用線１０に嵌着して固定されるものである。具体的に説明すると、ストッパー金具２は断面略Ｃ字型であり、取付はストッパー金具２を拡径状に弾性変形させ、吊架用線１０に外嵌状として嵌着させたものである。さらに、ストッパー金具２の爪部１３が吊架用線１０（の素線間）に食い込んで強固に固定される。
【００１４】
ハンガー部材１は、一本の金属製線材を（正面視）略しずく形に塑性加工して一部開口のリング状（端部が開いたリング状）としている。そして、ハンガー部材１の上部であるハンガー固定部９が吊架用線１０に（一端部５にて）枢着され、（他端部６にて）吊架用線１０に掛止され、下部であるハンガー本体部４が被吊下線材１１（二点鎖線）を保持する。なお、ハンガー本体部４の全体乃至一部には、樹脂製の保護材１４が被覆されており、ハンガー部材１の金属面が被吊下線材１１と直接的に接触するのを防ぎ、また、被吊下線材１１を布設する際における傷の保護が行える。なお、この保護材１４の材質は、ポリエチレン等としている。
【００１５】
そして、図１において、ハンガー付き吊架用線の布設前後方向の前方側に、枢着点側となる一端部５が配置（軸受部８にて枢着）され、一端部５の後方側に隙間Ｇを持って自由端側となる他端部６が配置（吊架用線１０に掛止）される。そして、（図示省略するが）この隙間Ｇに被吊下線材１１を通過させて、ハンガー付き吊架用線のハンガー部材１に被吊下線材１１を吊り下げ状とすることができる。従って、この隙間Ｇは、図１のように所定の寸法が必要である。
【００１６】
そして、ハンガー部材１のハンガー本体部４は、吊架用線１０の布設前方側に凹状に湾曲している。つまり、図１に示すように吊架用線１０を側面から見ると、ハンガー本体部４は、吊架用線１０の布設前後方向の前方側に焦点（円弧中心点）Ｏを有するよう湾曲している。なお、図１のｒは、ハンガー本体部４の曲率半径であり、前方側から見た場合において、ハンガー本体部４の右半分部１５と左半分部１６ともが湾曲しており、その曲率半径ｒを同一としている。
【００１７】
さらに、ハンガー部材１は、吊架用線１０に一端部５が吊架用線１０の布設前後方向に揺動可能に枢着されると共に布設前後方向から見て全体が閉ループ状となって他端部６が吊架用線１０に引っ掛けられたもので、吊架用線１０の布設前方側に凹状となる湾曲弧状であり、ハンガー部材１は、支柱７，７（図７）間に架設された自由状態で、吊架用線１０に鉛直下向きに垂れ下がった状態となる。
【００１８】
また、図３はハンガー付き吊架用線の布設作業を説明する側面図であり、ハンガー付き吊架用線は図７に示すように先端部側が引っ張られて順次布設される。そして、図３に示すように、図１にて説明したように矢印Ａ方向を布設方向とすると、ハンガー部材１が金車１２を通過しようとする際、ハンガー部材１の前面側（ハンガー本体部４の凹形円弧部）は金車１２に接触し、一端部５を揺動中心として後方へ揺動し、ハンガー部材１の先端部（下端部）４ｂ側が吊架用線１０側へ逃げることができ、ハンガー部材１が金車１２の外周形状に沿って金車１２を乗り越えて吊架用線１０と共に滑らかに送られる。従って、ハンガー本体部４には無理な力（曲げ力）が作用せず、変形することがない。つまり、金車１２の外周形状と同様に、ハンガー本体部４が円弧状に湾曲しているため、吊架用線１０によりハンガー本体部４（特に先端部４ｂ）が金車１２に押さえつけられず、滑らかにハンガー部材１は金車１２を通過できる。
【００１９】
そして、ハンガー本体部４が金車１２を通過する途中において（図３の状態で）、ハンガー本体部４の先端部４ｂと吊架用線１０との間には、ギャップ（隙間）ｇが生ずるよう、ハンガー本体部４の湾曲形状を決定してもよい。または、ハンガー本体部４が金車１２通過時に塑性変形しなければ（弾性変形領域であるならば）、このギャップｇは０としてもよい。つまり、従来のように、ハンガー部材１には、吊架用線１０の牽引張力Ｔにより金車１２との接触点を支点とした大きな曲げ力が働かず、スムーズにハンガー部材１は金車１２を通過できる。
【００２０】
次に、図４及び図５は本発明の他の実施の形態で、ハンガー付き吊架用線の布設方向が図１の場合と反対方向（矢印Ｂ方向）であり、構成は図１と図２のものと略同じである。なお、図５は吊架用線１０の布設前後方向後方から見ている。そして、図６は図４のハンガー付き吊架用線の布設作業を説明する側面図である。
【００２１】
この実施の形態において、ハンガー付き吊架用線は、吊架用線１０に回転自在に外嵌される回転金具３と、回転金具３が吊架用線１０の布設前後方向（吊架用線１０の線方向）に位置ズレするのを防ぐストッパー金具２，２と、回転金具３に一端部５が布設前後方向に揺動可能に枢着されると共に布設前後方向から見て（図５に示すように）全体が閉ループ状となって他端部６が吊架用線１０に引っ掛けられるハンガー部材１と、を有している。そして、ハンガー本体部４は、吊架用線１０の布設前方側に凹状に湾曲している。
【００２２】
また、図１〜図３に示した実施の形態と異なる点は、図４及び図６に示すように、ハンガー付き吊架用線の布設前後方向の後方側に、枢着点側となる一端部５が配置（軸受部８にて枢着）され、一端部５の前方側に隙間Ｇを持って自由端側となる他端部６が配置（吊架用線１０に掛止）されている。
【００２３】
また、図６によりハンガー付き吊架用線の布設作業を説明すると、図４にて説明したように矢印Ｂ方向を布設方向（送り方向）とすると、ハンガー部材１が金車１２を通過しようとする際、ハンガー部材１の前面側（ハンガー本体部４の凹形円弧部）が金車１２に接触し、一端部５を揺動中心として揺動し、ハンガー部材１の先端部（下端部）４ｂ側が、後方へ揺動し、吊架用線１０側へ逃げることができ、ハンガー部材１が金車１２の外周形状に沿って金車１２を乗り越えて吊架用線１０と共に滑らかに送られる。
【００２４】
この際、他端部６は、吊架用線１０（ストッパー金具２）の上面を滑って、ハンガー部材１が全体的に少し弾性変形し、図６に示すように、他端部６は一端部５を乗り越えることがない。
さらに、ハンガー本体部４には無理な力（曲げ力）が作用せず、変形することがない。つまり、金車１２の外周形状と同様に、ハンガー本体部４が円弧状に湾曲しているため、吊架用線１０によりハンガー本体部４（特に先端部４ｂ）が金車１２に押さえつけられず、滑らかにハンガー部材１は金車１２を通過できる。
【００２５】
次に、ハンガー本体部４の湾曲形状についてさらに説明すると、吊架用線１０が、布設時に金車１２を所定曲率半径Ｒをもって湾曲して通過するとした場合、図１と図３及び図４と図６に示すように、湾曲状のハンガー本体部４の曲率半径ｒは、金車半径ｒ０  より大きく、上記所定曲率半径Ｒよりも小さくなるように設定されている。
なお、ハンガー本体部４の右半分部１５と左半分部１６の曲率半径ｒ，ｒは、上記の条件を満たせば、夫々異なるよう設定してもよい。また、曲率半径ｒは、上記条件を満たせば、一定としなくても連続的に又は段階的に変化させてもよい。
【００２６】
なお、布設における吊架用線１０の曲率半径Ｒは、吊架用線１０に作用する張力Ｔの大きさ、及び、図７における吊架用線１０の地面側からの立ち上がり方向と架設方向により決定される角度θ、及び、吊架用線１０の（曲げ）剛性等により予め決定できるものである。
【００２７】
また、ハンガー部材１の一端部５と他端部６とは、図１及び図４に示すように、吊架用線１０の布設前後方向に隙間Ｇを有しており、一端部５と他端部６との中間点を含み吊架用線１０の中心線と直交する鉛直面を中心面Ｖとした場合、湾曲状ハンガー本体部４の布設前後方向の最後方部４ａ，４ａが、中心面Ｖよりも、後方位置にある。なお、この最後方部４ａ，４ａとは、ハンガー部材１を構成する線材の中心線上の点であり、自由吊り下げ状態において、ハンガー本体部４において、布設前後方向のうち最も後方側の点である。
【００２８】
【発明の効果】
本発明は上述の構成により次のような効果を奏する。
【００２９】
（請求項１によれば）吊架用線１０の布設に際し、金車１２の外周形状に沿ってスムーズにハンガー部材１が金車１２を通過することができ、ハンガー部材１に大きな曲げ力が働かないため塑性変形するおそれがなく、その後の作業に支障をきたすことがない。
【００３０】
（請求項２によれば）吊架用線１０に作用する牽引張力Ｔにより、ハンガー部材１に無理な力が働かないようにすることができ、ハンガー部材１が有する形状───例えば、一端部５と他端部６の隙間Ｇ───を保持できる。
さらに、上記効果を奏することができるよう予めハンガー部材１の形状を設定することができ、架設に際してスムーズに作業が行える。
（請求項３によれば）ハンガー部材１が金車１２を通過する際に、ハンガー部材１に大きな力が作用することがなく、ハンガー部材１をスムーズに後方へ揺動させて逃がすことができる。
【００３１】
（請求項４によれば）被吊下線材１１を確実に保持させることができると共に、架設の際に、回転金具３及びハンガー部材１が回転及び揺動可能とされているため、吊架用線１０が工具（金車１２）を通過する際に、ハンガー部材１が自由に回転・揺動移動できて、作業がスムーズに行い得る。
また、吊架用線１０の布設に際し、金車１２の外周形状に沿ってスムーズにハンガー部材１が金車１２を通過することができ、ハンガー部材１に大きな曲げ力が働かないため塑性変形するおそれがなく、その後の作業に支障をきたすことがない。
【図面の簡単な説明】
【図１】本発明のハンガー付き吊架用線の実施の一形態を示す側面図である。
【図２】ハンガー付き吊架用線の正面図である。
【図３】ハンガー付き吊架用線の布設作業を説明する側面図である。
【図４】本発明のハンガー付き吊架用線の他の実施の形態を示す側面図である。
【図５】ハンガー付き吊架用線の背面図である。
【図６】ハンガー付き吊架用線の布設作業を説明する側面図である。
【図７】ハンガー付き吊架用線の布設作業を説明する全体図である。
【図８】従来のハンガー付き吊架用線の側面図である。
【図９】従来のハンガー付き吊架用線の正面図である。
【図１０】従来のハンガー付き吊架用線の布設作業を示す側面図である。
【図１１】従来のハンガー付き吊架用線の布設作業を示す側面図である。
【図１２】従来のハンガー付き吊架用線の不具合を説明する側面図である。
【符号の説明】
１  ハンガー部材
２  ストッパー金具
３  回転金具
４  ハンガー本体部
４ａ  最後方部
５  一端部
６  他端部
１０  吊架用線
１１  被吊下線材
１２  金車
Ｇ  隙間
Ｒ  所定曲率半径
ｒ  曲率半径
ｒ０    金車半径
Ｖ  中心面
【図１】
2004153869.tif 000003
【図２】
2004153869.tif 000004
【図３】
2004153869.tif 000005
【図４】
2004153869.tif 000006
【図５】
2004153869.tif 000007
【図６】
2004153869.tif 000008
【図７】
2004153869.tif 000009
【図８】
2004153869.tif 000010
【図９】
2004153869.tif 000011
【図１０】
2004153869.tif 000012
【図１１】
2004153869.tif 000013
【図１２】
2004153869.tif 000014